【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
コンピュータ実装方法であって、
デバイスによって、要求されたウェブページを識別するユニフォームリソースロケータ（ＵＲＬ）を識別するステップと、
前記デバイスによって、前記要求されたウェブページ内の要求された位置を識別するステップと、
前記デバイスによってサーバから、リダイレクトＵＲＬを含むリダイレクト応答を受信するステップであって、前記要求されたウェブページを識別する前記ＵＲＬを識別するステップが、前記要求されたウェブページを識別する前記ＵＲＬとして前記リダイレクトＵＲＬを識別するステップを含み、前記要求されたウェブページ内の前記要求された位置が、前記リダイレクト応答を受信する前に識別され、前記サーバが、前記デバイスが前記ＵＲＬに基づいて前記サーバにアクセスする前に、前記サーバにログインする必要があると判定する、ステップと、
前記リダイレクト応答を受信したことに応答して、前記デバイスによって所定の規則に基づいて、前記要求されたウェブページ内の前記要求された位置を識別するために、前記要求されたウェブページを識別するとともに、前記要求された位置に対応し、かつ変更されたＵＲＬに関連付けられた前記サーバを有効にするように構成されるＵＲＬパラメータを含む、前記変更されたＵＲＬを生成するステップと、
前記デバイスによって、前記サーバへ前記ＵＲＬパラメータを含む前記変更されたＵＲＬを含む要求を送信するステップと、
前記デバイスによって前記サーバから、前記変更されたＵＲＬによって識別された前記要求されたウェブページを含む応答と、前記要求されたウェブページ内の前記要求された位置の識別子と受信するステップであって、前記識別子が、前記ＵＲＬパラメータとは異なる、ステップと、
前記デバイスによって、前記含まれた識別子に基づいて、前記サーバから受信された前記要求されたウェブページ内の前記要求された位置を表示するステップと
を備える、コンピュータ実装方法。
【請求項２】
前記ＵＲＬおよび前記要求された位置が、ユーザ入力から前記デバイス上で実行しているアプリケーションへ識別される、請求項１に記載のコンピュータ実装方法。
【請求項３】
前記アプリケーションがウェブブラウザであり、前記要求された位置が、ユーザにより入力される前記ＵＲＬに含まれるハッシュ属性である、請求項２に記載のコンピュータ実装方法。
【請求項４】
前記サーバからの前記応答における前記要求されたウェブページ内の前記要求された位置の前記識別子が、前記要求された位置に関連付けられたハッシュ属性である、請求項２に記載のコンピュータ実装方法。
【請求項５】
前記サーバが、前記変更されたＵＲＬに基づいて前記要求されたウェブページを決定し、かつ前記変更されたＵＲＬ内のＵＲＬパラメータに基づいて前記要求されたウェブページ内の前記要求された位置を決定する、請求項１に記載のコンピュータ実装方法。
【請求項６】
前記リダイレクト応答が、ＨＴＴＰ３０２リダイレクトヘッダ情報を含む、請求項１に記載のコンピュータ実装方法。
【請求項７】
コンピュータ可読記憶媒体であって、
デバイスによって、要求されたウェブページを識別するユニフォームリソースロケータ（ＵＲＬ）を識別することと、
前記デバイスによって、前記要求されたウェブページ内の要求された位置を識別することと、
前記デバイスによってサーバから、リダイレクトＵＲＬを含むリダイレクト応答を受信することであって、前記要求されたウェブページを識別する前記ＵＲＬを識別することが、前記要求されたウェブページを識別する前記ＵＲＬとして前記リダイレクトＵＲＬを識別することを含み、前記要求されたウェブページ内の前記要求された位置が、前記リダイレクト応答を受信する前に識別され、前記サーバが、前記デバイスが前記ＵＲＬに基づいて前記サーバにアクセスする前に、前記サーバにログインする必要があると判定する、受信することと、
前記リダイレクト応答を受信したことに応答して、前記デバイスによって所定の規則に基づいて、前記要求されたウェブページ内の前記要求された位置を識別するために、前記要求されたウェブページを識別するとともに、前記要求された位置に対応し、かつ変更されたＵＲＬに関連付けられた前記サーバを有効にするように構成されるＵＲＬパラメータを含む、前記変更されたＵＲＬを生成することと、
前記デバイスによって、前記サーバへ前記ＵＲＬパラメータを含む前記変更されたＵＲＬを含む要求を送信することと、
前記デバイスによって前記サーバから、前記変更されたＵＲＬによって識別された前記要求されたウェブページを含む応答と、前記要求されたウェブページ内の前記要求された位置の識別子と受信することであって、前記識別子が、前記ＵＲＬパラメータとは異なる、受信することと、
前記デバイスによって、前記含まれた識別子に基づいて、前記サーバから受信された前記要求されたウェブページ内の前記要求された位置を表示することと
を備える動作を実行するためにコンピュータシステムによって実行可能な１つまたは複数の命令を記憶する、コンピュータ可読記憶媒体。
【請求項８】
前記ＵＲＬおよび前記要求された位置が、ユーザ入力から前記デバイス上で実行しているアプリケーションへ識別される、請求項７に記載のコンピュータ可読記憶媒体。
【請求項９】
前記アプリケーションがウェブブラウザであり、前記要求された位置が、ユーザにより入力される前記ＵＲＬに含まれるハッシュ属性である、請求項８に記載のコンピュータ可読記憶媒体。
【請求項１０】
前記サーバからの前記応答における前記要求されたウェブページ内の前記要求された位置の前記識別子が、前記要求された位置に関連付けられたハッシュ属性である、請求項８に記載のコンピュータ可読記憶媒体。
【請求項１１】
前記サーバが、前記変更されたＵＲＬに基づいて前記要求されたウェブページを決定し、かつ前記変更されたＵＲＬ内のＵＲＬパラメータに基づいて前記要求されたウェブページ内の前記要求された位置を決定する、請求項７に記載のコンピュータ可読記憶媒体。
【請求項１２】
前記リダイレクト応答が、ＨＴＴＰ３０２リダイレクトヘッダ情報を含む、請求項７に記載のコンピュータ可読記憶媒体。
【請求項１３】
コンピュータ実装システムであって、
１つまたは複数のコンピュータと、
前記１つまたは複数のコンピュータに相互動作可能に結合される１つまたは複数のコンピュータメモリデバイスであって、１つまたは複数の命令を記憶する有形の機械可読記憶媒体を有し、前記１つまたは複数のコンピュータによって実施されたとき、
デバイスによって、要求されたウェブページを識別するユニフォームリソースロケータ（ＵＲＬ）を識別することと、
前記デバイスによって、前記要求されたウェブページ内の要求された位置を識別することと、
前記デバイスによってサーバから、リダイレクトＵＲＬを含むリダイレクト応答を受信することであって、前記要求されたウェブページを識別する前記ＵＲＬを識別することが、前記要求されたウェブページを識別する前記ＵＲＬとして前記リダイレクトＵＲＬを識別することを含み、前記要求されたウェブページ内の前記要求された位置が、前記リダイレクト応答を受信する前に識別され、前記サーバが、前記デバイスが前記ＵＲＬに基づいて前記サーバにアクセスする前に、前記サーバにログインする必要があると判定する、受信することと、
前記リダイレクト応答を受信したことに応答して、前記デバイスによって所定の規則に基づいて、前記要求されたウェブページ内の前記要求された位置を識別するために、前記要求されたウェブページを識別するとともに、前記要求された位置に対応し、かつ変更されたＵＲＬに関連付けられた前記サーバを有効にするように構成されるＵＲＬパラメータを含む、前記変更されたＵＲＬを生成することと、
前記デバイスによって、前記サーバへ前記ＵＲＬパラメータを含む前記変更されたＵＲＬを含む要求を送信することと、
前記デバイスによって前記サーバから、前記変更されたＵＲＬによって識別された前記要求されたウェブページを含む応答と、前記要求されたウェブページ内の前記要求された位置の識別子と受信することであって、前記識別子が、前記ＵＲＬパラメータとは異なる、受信することと、
前記デバイスによって、前記含まれた識別子に基づいて、前記サーバから受信された前記要求されたウェブページ内の前記要求された位置を表示することと
を備える１つまたは複数の動作を実行する、コンピュータ実装システム。
【請求項１４】
前記ＵＲＬおよび前記要求された位置が、ユーザ入力から前記デバイス上で実行しているアプリケーションへ識別される、請求項１３に記載のコンピュータ実装システム。
【請求項１５】
前記アプリケーションがウェブブラウザであり、前記要求された位置が、ユーザにより入力される前記ＵＲＬに含まれるハッシュ属性である、請求項１４に記載のコンピュータ実装システム。
【請求項１６】
前記サーバからの前記応答における前記要求されたウェブページ内の前記要求された位置の前記識別子が、前記要求された位置に関連付けられたハッシュ属性である、請求項１４に記載のコンピュータ実装システム。
【請求項１７】
前記サーバが、前記変更されたＵＲＬに基づいて前記要求されたウェブページを決定し、かつ前記変更されたＵＲＬ内のＵＲＬパラメータに基づいて前記要求されたウェブページ内の前記要求された位置を決定する、請求項１３に記載のコンピュータ実装システム。
【請求項１８】
前記リダイレクト応答が、ＨＴＴＰ３０２リダイレクトヘッダ情報を含む、請求項１３に記載のコンピュータ実装システム。